【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
少なくとも一つの第１の装置と、前記第１の装置との間で情報の授受を行う複数の第２の装置とを、前記情報が単一方向に循環するループ状の第１のインターフェイスにて相互に接続した構成の情報処理システムの制御方法であって、個々の前記第２の装置と前記第１のインターフェイスとの間に、当該第２の装置の前記第１のインターフェイスに対する選択的な接続および切り離しが可能なスイッチ手段を設け、前記スイッチ手段にて任意の一つの前記第２の装置を選択的に前記第１のインターフェイスに接続して診断することで、前記第１の装置による障害の前記第２の装置の特定を行うことを特徴とする情報処理システムの制御方法。
【請求項２】
少なくとも一つの第１の装置と、前記第１の装置との間で情報の授受を行う複数の第２の装置とを、前記情報が単一方向に循環するループ状の第１のインターフェイスにて相互に接続した構成の情報処理システムの制御方法であって、個々の前記第２の装置と前記第１のインターフェイスとの間に、当該第２の装置の前記第１のインターフェイスに対する選択的な接続および切り離しが可能なスイッチ手段を設け、任意の前記第２の装置における前記第１のインターフェイスでのエラー検出を契機に、前記第１のインターフェイスにおいて当該第２の装置よりも上流側に位置する前記第２の装置を前記スイッチ手段にて前記第１のインターフェイスから切り離すことを特徴とする情報処理システムの制御方法。
【請求項３】
少なくとも一つの第１の装置と、前記第１の装置との間で情報の授受を行う複数の第２の装置とを、前記情報が単一方向に循環するループ状の第１のインターフェイスにて相互に接続した構成の情報処理システムの制御方法であって、個々の前記第２の装置と前記第１のインターフェイスとの間に、当該第２の装置の前記第１のインターフェイスに対する選択的な接続および切り離しが可能なスイッチ手段を設け、個々の前記第２の装置において、前記第１のインターフェイスに関するエラー発生状態を記憶し、任意の前記第２の装置に記憶された前記エラー発生状態が所定の許容範囲を逸脱したことを契機に、前記第１のインターフェイスにおいて当該第２の装置よりも上流側に位置する前記第２の装置を前記スイッチ手段にて前記第１のインターフェイスから切り離すことを特徴とする情報処理システムの制御方法。
【請求項４】
少なくとも一つの第１の装置と、前記第１の装置との間で情報の授受を行う複数の第２の装置とを、前記情報が単一方向に循環するループ状の第１のインターフェイスにて相互に接続した構成の情報処理システムの制御方法であって、前記第１の装置は、個々の前記第２の装置にて検出された前記第１のインターフェイスにおける当該第１のインターフェイスの切断障害に至る前のエラーを収集することで、前記切断障害を発生させる前記第２の装置を予知することを特徴とする情報処理システムの制御方法。
【請求項５】
請求項１記載の情報処理システムの制御方法において、前記第１のインターフェイス上での前記第１の装置による個々の前記第２の装置の初期化手順の成否に基づいて個々の前記第２の装置が正常か否かを診断することを特徴とする情報処理システムの制御方法。
【請求項６】
請求項１，２または３記載の情報処理システムの制御方法において、前記スイッチ手段と、前記第１および第２の装置の少なくとも一方を前記第１のインターフェイスとは別の第２のインターフェイスにて接続し、前記第１または第２の装置にて前記スイッチ手段による前記第２の装置の接続および切り離しを行うことを特徴とする情報処理システムの制御方法。
【請求項７】
請求項１，２，３，４，５または６記載の情報処理システムの制御方法において、個々の前記第２の装置を前記第１のインターフェイスとは別の第２のインターフェイスにて前記第１の装置に接続し、前記第２の装置にて得られた前記第１のインターフェイスに関するエラー情報を、前記第２のインターフェイスを介して前記第１の装置に通知することを特徴とする情報処理システムの制御方法。
【請求項８】
少なくとも一つの第１の装置と、前記第１の装置との間で情報の授受を行う複数の第２の装置と、前記第１の装置と前記第２の装置とを接続し、前記情報が単一方向に循環するループ状の第１のインターフェイスと、個々の前記第２の装置の前記第１のインターフェイスに対する選択的な接続および切り離しを行うスイッチ手段と、前記スイッチ手段にて任意の一つの前記第２の装置を選択的に前記第１のインターフェイスに接続することで、前記第１の装置による個々の前記第２の装置の診断操作を行う制御論理と、を備えたことを特徴とする情報処理システム。
【請求項９】
少なくとも一つの第１の装置と、前記第１の装置との間で情報の授受を行う複数の第２の装置と、前記第１の装置と前記第２の装置とを接続し、前記情報が単一方向に循環するループ状の第１のインターフェイスと、個々の前記第２の装置の前記第１のインターフェイスに対する選択的な接続および切り離しを行うスイッチ手段と、任意の前記第２の装置における前記第１のインターフェイスでのエラー検出を契機に、前記第１のインターフェイスにおいて当該第２の装置よりも上流側に位置する前記第２の装置を前記スイッチ手段にて前記第１のインターフェイスから切り離す制御論理を備えたことを特徴とする情報処理システム。
【請求項１０】
少なくとも一つの第１の装置と、前記第１の装置との間で情報の授受を行う複数の第２の装置と、前記第１の装置と前記第２の装置とを接続し、前記情報が単一方向に循環するループ状の第１のインターフェイスと、個々の前記第２の装置の前記第１のインターフェイスに対する選択的な接続および切り離しを行うスイッチ手段と、個々の前記第２の装置において記憶される前記第１のインターフェイスに関するエラー発生状態が所定の許容範囲を逸脱したことを契機に、前記第１のインターフェイスにおいて当該第２の装置よりも上流側に位置する前記第２の装置を前記スイッチ手段にて前記第１のインターフェイスから切り離す制御論理とを備えたことを特徴とする情報処理システム。
【請求項１１】
請求項８，９または１０記載の情報処理システムにおいて、前記第１のインターフェイスとは別の第２のインターフェイスを介して、前記スイッチ手段と、前記第１および第２の装置の少なくとも一方とが接続され、前記第１または第２の装置にて前記第２のインターフェイスを介して前記スイッチ手段による前記第２の装置の接続および切り離しが行われることを特徴とする情報処理システム。
【請求項１２】
請求項８，９，１０または１１記載の情報処理システムにおいて、前記第１のインターフェイスとは別の第２のインターフェイスを介して、前記第１の装置と第２の装置が接続され、前記第２の装置にて得られた前記第１のインターフェイスに関するエラー情報を、前記第２のインターフェイスを介して前記第１の装置が収集することを特徴とする情報処理システム。
【請求項１３】
ディスクサブシステムとして構成された情報処理システムであって、
前記ディスクサブシステムは、
ホストコンピュータとの間で授受される入出力データを一時的に記憶するキャッシュメモリと、
前記ホストコンピュータとの入出力ポートを有し、前記ホストコンピュータとの入出力インターフェイスを制御するチャネルコントローラと、
入出力データを記憶しておく複数の記憶装置と、
単方向循環インターフェイスを介して複数の記憶装置を制御するディスクコントローラと、
前記ディスクコントローラと前記複数の記憶装置との間にあってデータの入出力を遮断することが可能なファイバースイッチと、
前記チャネルコントローラと前記ディスクコントローラとの間のインターフェイスを記憶する共有メモリと、
前記チャネルコントローラと前記キャッシュメモリとの間又は前記チャネルコントローラと前記共有メモリとの間又は前記ディスクコントローラと前記キャッシュメモリとの間又は前記ディスクコントローラと前記共有メモリとの間にあって入出力データを制御するキャッシュスイッチと、
から構成されていることを特徴とする情報処理システム。
【請求項１４】
ディスクサブシステムとして構成された情報処理システムであって、
前記ディスクサブシステムは、
ホストコンピュータとの間で授受される入出力データを一時的に記憶するキャッシュメモリと、
前記ホストコンピュータとの入出力ポートを有し、前記ホストコンピュータとの入出力インターフェイスを制御するチャネルコントローラと、
入出力データを記憶しておく複数の記憶装置と、
単方向循環インターフェイスを介して複数の記憶装置を制御するディスクコントローラと、
前記ディスクコントローラと前記複数の記憶装置との間にあってデータの入出力を遮断することが可能なファイバースイッチと、
前記チャネルコントローラと前記ディスクコントローラとの間のインターフェイスを記憶する共有メモリと、
前記チャネルコントローラと前記キャッシュメモリとの間又は前記チャネルコントローラと前記共有メモリとの間又は前記ディスクコントローラと前記キャッシュメモリとの間又は前記ディスクコントローラと前記共有メモリとの間にあって入出力データを制御するキャッシュスイッチと、
から構成され、
前記複数の記憶装置は、
前記ディスクコントローラとのインターフェイスで発生した障害を積算して記憶しておく機能を有し、前記ディスクコントローラとのインターフェイスにて積算値の開示要求があった時には開示する機能を有し、ループサーキット切断障害時には、前記単方向循環インターフェイス又は別の専用インターフェイスで障害を報告する機能を持ち、積算値が一定数を超えた場合、専用インターフェイスで障害報告を行い、また積算値が一定数を超えた場合、その記憶装置より上流に位置する記憶装置を前記ファイバースイッチによってデータ入出力を遮断する、
ことを特徴とする情報処理システム。
【請求項１５】
ディスクサブシステムとして構成された情報処理システムであって、
前記ディスクサブシステムは、
ホストコンピュータとの間で授受される入出力データを一時的に記憶するキャッシュメモリと、
前記ホストコンピュータとの入出力ポートを有し、前記ホストコンピュータとの入出力インターフェイスを制御するチャネルコントローラと、
入出力データを記憶しておく複数の記憶装置と、
単方向循環インターフェイスを介して複数の記憶装置を制御するディスクコントローラと、
前記ディスクコントローラと前記複数の記憶装置との間にあってデータの入出力を遮断することが可能なファイバースイッチと、
前記チャネルコントローラと前記ディスクコントローラとの間のインターフェイスを記憶する共有メモリと、
前記チャネルコントローラと前記キャッシュメモリとの間又は前記チャネルコントローラと前記共有メモリとの間又は前記ディスクコントローラと前記キャッシュメモリとの間又は前記ディスクコントローラと前記共有メモリとの間にあって入出力データを制御するキャッシュスイッチと、
から構成され、
前記複数の記憶装置は、
前記ディスクコントローラとのインターフェイスで発生した障害を積算して記憶しておく機能を有し、前記ディスクコントローラとのインターフェイスにて積算値の開示要求があった時には開示する機能を有し、ループサーキット切断障害時には、前記単方向循環インターフェイス又は別の専用インターフェイスで障害を報告する機能を持ち、積算値が一定数を超えた場合、専用インターフェイスで障害報告を行い、また積算値が一定数を超えた場合、その記憶装置より上流に位置する記憶装置を前記ファイバースイッチによってデータ入出力を遮断し、
前記ディスクコントローラは、
前記記憶装置からの障害報告時、その記憶装置より上流に位置する記憶装置を前記ファイバースイッチによってデータ入出力を遮断する機能を有し、また前記記憶装置にインターフェイス障害の積算値の報告を求める機能を有し、その報告内容によっては前記記憶装置または前記記憶装置より上流に位置する記憶装置のデータの入出力を前記ファイバースイッチによって遮断する機能を有する、
ことを特徴とする情報処理システム。
【手続補正２】
【補正対象書類名】明細書
【補正対象項目名】００１７
【補正方法】変更
【補正の内容】
【００１７】
また前記記憶装置には前記ディスクコントローラとのインタフェースで発生した障害を積算して記憶しておく機能を有し、前記ディスクコントローラとのインタフェースにて積算値の開示要求があった時には開示する機能を有し、またループサーキット切断障害時には、前記単方向循環インタフェース又は別の専用インタフェースで障害報告する機能を持ち、また積算値が一定数を超えた場合、専用インタフェースで障害報告をしてもよく、また積算値が一定数を超えた場合、自記憶装置より上流に位置する記憶装置を前記ファイバースイッチによってデータ入出力を遮断してもよい。